(57)【特許請求の範囲】
【請求項１】
マンハッタン矩形格子システムを使用して非マンハッタン曲線形状要素について集積回路レイアウトを画定する方法であって、
ａ）特定のマンハッタン・レイアウトおよびマスク作成システムの最小格子分解能を決定する工程と、
ｂ）多角形の隣接頂点間の最小間隔を１対の選択された格子点間の距離として画定する工程と、
ｃ）前記マンハッタン格子システムの上に非マンハッタン曲線形状要素を重ね合わせる工程と、
ｄ）各多角形の少なくとも１つの頂点を前記非マンハッタン曲線形状要素の周上に配置することによって、前記非マンハッタン曲線形状要素の画定された空間内に複数の多角形をはめ込む工程とを含むことを特徴とする方法。
【請求項２】
工程ｂ）の実施において、格子点の前記選択対が、隣接格子点であることを特徴とする請求項１に記載の方法。
【請求項３】
前記非マンハッタン曲線形状要素が、光学要素であることを特徴とする請求項１に記載の方法。
【請求項４】
マンハッタン形状の矩形電気要素が、前記非マンハッタン曲線形状光学要素と同じ格子上に含まれ、光学要素および電気要素の両方が同じ格子上に同時に配置されることを見込むことを特徴とする請求項３に記載の方法。
【請求項５】
前記非マンハッタン曲線形状要素のジオメトリが、所定の幾何形状の方程式を入力として使用することによって決定されることを特徴とする請求項１に記載の方法。
【請求項６】
工程ｄ）の実施において、少なくとも１つの多角形の複数の頂点が、前記非マンハッタン曲線形状要素の周上に配置されることを特徴とする請求項１に記載の方法。
【請求項７】
少なくとも１つの非マンハッタン曲線形状光学要素および少なくとも１つのマンハッタン矩形電気要素の集積回路レイアウトを生成する方法であって、
少なくとも１つの非マンハッタン曲線形状光学要素の物理的レイアウトを生成するために、１セットの所定の光学機能をシミュレーションする工程と、
前記少なくとも１つの非マンハッタン曲線形状光学要素の前記物理的レイアウトをマンハッタン格子システムと共存可能なレイアウトに変換する工程であって、
ａ）特定のマンハッタン・レイアウトおよびマスク作成システムの最小格子分解能を決定する工程と、
ｂ）多角形の隣接頂点間の最小間隔を１対の選択された格子点間の距離として画定する工程と、
ｃ）前記マンハッタン格子システムの上に非マンハッタン曲線形状要素を重ね合わせる工程と、
ｄ）各多角形の少なくとも１つの頂点を前記非マンハッタン曲線形状要素の周上に配置することによって、前記非マンハッタン曲線形状要素の画定空間内に複数の多角形をはめ込む工程とを必要とする、工程と、
少なくとも１つのマンハッタン矩形電子要素の物理的レイアウトを生成するために、１セットの所定の電気特徴をシミュレーションする工程と、
前記少なくとも１つの電子要素の少なくとも１つのマンハッタン・レイアウトおよび前記少なくとも１つの光学要素の前記変換マンハッタン・レイアウトを入力としてマスク作成システムに提供する工程と、
前記光学要素および前記電子要素の両方のレイアウトをマンハッタン格子システム上に含むマスクを生成する工程とを含むことを特徴とする方法。
【請求項８】
マンハッタン格子システムを使用して非マンハッタン曲線形状要素について集積回路レイアウトを画定するシステムであって、
ａ）特定のマンハッタン・レイアウトおよびマスク作成システムの最小格子分解能を決定する動作と、
ｂ）多角形の隣接頂点間の最小間隔を１対の選択格子点間の距離として画定する動作と、
ｃ）前記マンハッタン格子システムの上に非マンハッタン曲線形状要素を重ね合わせる動作と、
ｄ）各多角形の少なくとも１つの頂点を前記非マンハッタン曲線形状要素の周上に配置することによって、前記非マンハッタン曲線形状要素の画定空間内に複数の多角形をはめ込む動作とを実施することができるプロセッサを含むことを特徴とするシステム。
【請求項９】
マンハッタン要素のレイアウトを提供するための電子ＩＣレイアウト・ツールをさらに備え、前記電子ＩＣレイアウト・ツールの出力が、光学構成要素および電子構成要素の両方を含む単一マスクを開発するために、入力として前記システム・プロセッサに提供されることを特徴とする請求項８に記載のシステム。
【請求項１０】
非マンハッタン曲線形状ジオメトリを有する少なくとも１つの光学構成要素の物理的レイアウトを解明するための光学シミュレータと、
非マンハッタン曲線形状ジオメトリを有する前記少なくとも１つの光学構成要素の前記物理的レイアウトをマンハッタン格子システムと共に使用されるレイアウトに変換するためのレイアウト変換モジュールであって、
ａ）特定のマンハッタン・レイアウトおよびマスク作成システムの最小格子分解能を決定する動作と、
ｂ）多角形の隣接頂点間の最小間隔を１対の選択格子点間の距離として画定する動作と、
ｃ）非マンハッタン曲線形状要素を前記マンハッタン格子システムの上に重ね合わせる動作と、
ｄ）各多角形の少なくとも１つの頂点を前記非マンハッタン曲線形状要素の周上に配置することによって、前記非マンハッタン曲線形状要素の前記画定空間内に複数の多角形をはめ込む動作とを実施することができるプロセッサを備えるレイアウト変換モジュールと、
マンハッタン矩形エレメントを有する少なくとも１つの電子構成要素の物理的レイアウトを解明するための電子シミュレータと、
前記光学構成要素および前記電気光学構成要素の両方のレイアウトを生成するために前記電子シミュレータおよび前記レイアウト変換モジュールの出力に結合されたマスク・レイアウト・モジュールとを備えることを特徴とするマスク・レイアウト・ソフトウエア・ツール。
【発明の詳細な説明】
【技術分野】
【０００１】
本出願は、２００３年４月１０日に出願された仮出願６０／４６１６９６の利益を主張する。
【０００２】
本発明は、ＩＣ産業のマスク生成ソフトウエア・パッケージと共存可能なレイアウト・ツールに関し、より具体的には、マンハッタン定義を使用して非マンハッタン・ジオメトリを実現し、電子構成要素および光学構成要素の両方が同じマスク・セットに組み込まれることを見込む技術に関する。
【背景技術】
【０００３】
今日の集積回路産業は、主に、マンハッタン・ジオメトリ（すなわち、４５°および９０°の曲がり）を有する構成要素の使用に基づくので、非マンハッタン平面光学構成要素のレイアウトを従来の電子構成要素に組み込むことが課題である。具体的には、通常の光学構成要素は、スプリッタ／コンバイナ、導波路、およびアレイ導波路構造、半導体光増幅器、マッハ・ツェンダー干渉計、変調器などの要素を備え、すべて、曲げおよび様々な角度のジオメトリの使用を必要とする。
【０００４】
フォトニック産業は成長し続けているので、標準的なＩＣツールおよび処理技術を使用して、これらの構成要素を製造することができる必要性が生じる。具体的には、マスク生成プロセスは、今日のマイクロエレクトロニクス産業において使用されているのと同じＩＣツールおよび処理を使用して光学構成要素を実現する決定的な工程となる。
【０００５】
さらに、光学シミュレーションおよびモデリング産業では、光学表面の品質を損なわずに、光学構造を効率的にインポートおよびエクスポートする適切なツールを開発することが必要である。非マンハッタン光学構成要素を光学シミュレーション・ソフトウエアからＩＣレイアウト・ツールに直接インポートすることにより、当初の非マンハッタン形状は低分解能離散多角形に変換される。現在利用可能なＩＣレイアウト・ソフトウエア・パッケージは、インポートされた光学構成要素を生成するために使用することができる頂点の数に関して限定を有する。従来の技術では、光学またはＩＣの応用分野に使用されるあるレイアウト・ソフトエア・パッケージは、１２ビット動作の結果として、わずかに４０９６の頂点に限定される。頂点の数が限定されていることにより、光学構成要素は修正される。ＩＣマスク・レイアウト・ソフトウエアへのインポート中に光学構成要素がこのように修正されることにより、光学構成要素の製造後にのみ実現される予測されない光学的振舞いがもたらされることがある。フォトニクス産業がＩＣ産業の高歩留まり製造モデルから利益を得る場合、光学レイアウト・ソフトウエア・パッケージのインポート／エクスポート制限は、対処される必要がある。数式から曲線を生成する入力のセットから離散多角形表示の高分解能変換を提供する問題も、依然として存在する。
【発明の開示】
【発明が解決しようとする課題】
【０００６】
従来の技術に依然として存在する要求は、本発明によって対処され、本発明は、ＩＣ産業マスク生成ソフトウエア・パッケージと共存可能であるレイアウト・ツールに関し、より具体的には、マンハッタン定義を使用して非マンハッタン・ジオメトリを実現し、電子構成要素および光学構成要素の両方が同じマスク・セットに組み込まれることを見込む技術に関する。
【課題を解決するための手段】
【０００７】
本発明によれば、複雑な設計の光学構成要素が、複数の隣接多角形（好ましくは矩形）を使用することによって実現される。隣接多角形の頂点は、光学構成要素の輪郭に最適に一致するようにはめ込まれる。はめ込みを達成するために使用される多角形の数を増やすことによって（すなわち、各多角形のサイズを小さくすることによって）、より良好な整合が達成される。究極的には、多角形の数は、マスクの生成に使用される最小格子間隔によってのみ制約される。
【０００８】
本発明の利点は、「はめ込み矩形」レイアウト技術が、実質的にあらゆる従来のＩＣソフトウエア・レイアウト・パッケージと共存可能であり、かつ、マスク対処ビーム・サイズが減少する際に、より高い分解能光学表面を提供し続けることである。さらに、本発明の技術は、同じマスク・レイアウト・プロセスを使用して、光学構成要素および電子構成要素の両方が実現されることを見込む。
【０００９】
本発明の他の特徴および他の特徴は、本発明の過程において、添付の図面を参照することによって、明らかになるであろう。
ここで、図面を参照する。
【発明を実施するための最良の形態】
【００１０】
上述されたように、本発明は、生成構成要素の寸法、ならびに構成要素間の相対配置（導波路が鏡焦点に配置されることが必要であるときに特に重要である）が、光学シミュレーション・ソフトウエア・パッケージとＩＣレイアウト・ソフトウエア・パッケージとの間におけるこれらの構成要素のインポート／エクスポート中に、十分な分解能と共に維持されるような方式で、光学構成要素を生成するように多角形の頂点をはめ込む方法に関する。本発明のプロセスは、光学構成要素の輪郭を描く曲線にはめ込まれた１セットの多角形の個々の頂点（１つまたは複数）を使用することを含む。次いで、光学構成要素は、ＣＡＤソフトウエアを使用して幾何形状の式または図面を使用して生成されることが可能である。多角形のはめ込み頂点は、ＩＣレイアウト・ソフトウエアにおいて使用される格子に整合するように選択される。格子に整合させることにより、物理的に寸法を変更せずに、光学構成要素を効率的にインポートおよびエクスポートすることが可能になる。生成ファイルのフォーマットは、ＩＣ産業において使用される標準的なファイル・フォーマットと共存可能であるように構成することができる。実際、本発明の方法は、光学近位補正（ＯＰＣ）、極紫外線（ＥＵＶ）、およびＸ線リソグラフィなど、最新マスク生成方法と共存可能であると見なされる。図１は、本発明を使用するシステムを簡略化された形態で示す。光学構成要素シミュレータ１が、光学システムの１セットの様々な構成要素の物理的なレイアウトをまず解明し、物理的レイアウトは、構成要素のサイズ、ならびに構成要素間の間隔に関して適切な寸法にある。次いで、この情報は、これらの形状を生成するために、多角形の頂点をはめ込むシステム２への入力として使用される。システムについては以下で詳細に記述される。システム２の出力は、電気集積回路に現在使用されているレイアウト・ツールと共存可能である格子間隔の観点におけるレイアウトである。このレイアウト情報は、入力として、従来のマスク・レイアウト・システム３に加えられる。本発明の利点は、電子構成要素シミュレータ４も、レイアウト情報をマスク・レイアウト・システム３に提供することが可能であることであり、それにより、複雑なシステムの光学構成要素および電気構成要素の両方が、マスク・レイアウト・ツール内において同時に処理されることが可能である。
【００１１】
図２は、議論のために、例示的なＩＣレイアウト・ツール格子を示し、マンハッタン・ジオメトリ（通常、電子構成要素に関連付けられる）および非マンハッタン・ジオメトリ（通常、光学構成要素に関連付けられる）の両方のレイアウトを示す。電子構成要素６は、すべて、マンハッタン・ジオメトリを備え、９０°または４５°の角度によって相互接続された直線を呈示する。対照的に、構成要素８の非マンハッタン・ジオメトリは、湾曲形状（円形を含む）、様々な接続角度、および先細り構成要素を呈示することがわかる。これらの様々な非マンハッタン・ジオメトリは、光学格子、凹面鏡、テーパ、レンズ、リング共振器、およびマッハ・ツェンダー干渉計などの従来の光学構成要素に関連付けられることが可能である。実際、本発明の技術は、望ましい光学機能を提供するために光の回折率（反射または屈折率とは対照的に）を使用するように機能する回折光学要素（ＤＯＥ）のレイアウトに特に有益であると見なされる。具体的には、ＤＯＥは、従来のマンハッタン構成を使用してレイアウトするのが困難である多数の湾曲表面（１つの例示的な構成は、一連の同心縁を備える）から通常なる。したがって、以下において記述され、具体的には回折光学要素（ＤＯＥ）を含む本発明の方法により、これらの様々な光学構成要素が、光学構成要素の湾曲輪郭を画定するために一連の多角形（好ましくは、矩形）を使用することによって、従来のＩＣレイアウト・ツールで生成されることが可能になる。
【００１２】
図３は、本発明のプロセスを使用する、ＩＣレイアウト・ツールへの円の変換を示す。比較のために、図３（ａ）は、従来の光学構成要素レイアウト・ツールを使用して生成される従来の技術の円形を示し、この円形は、多角形構造を使用することによって画定される。対照的に、図３（ｂ）は、本発明のはめ込み多角形プロセスを使用して生成される円形を示す。本発明の目的では、これ以後、「矩形」がはめ込み多角形として使用されると想定する。上記で議論されたように、特定の構成要素にはめ込まれるために使用される多角形の数は、ツールの格子間隔によってのみ限定される。矩形は、「はめ込み」多角形の単なる１つの例示的な選択肢であると見なされ、本発明の方法においてあらゆる他の多角形の形状を使用することができることを理解されたい。この場合、選択された多角形の頂点は、光学構成要素の輪郭に沿って位置するように整合される。図３（ｂ）を参照すると、複数の矩形１０−１から１０−Ｎが、円形の輪郭をはめ込まれるために使用される。具体的には、各矩形１０−ｉの頂点ＡおよびＢは、レイアウト・ツールの格子間隔上の点と一致するように画定される。このようにして、円形は、図３（ａ）の従来の技術の多角形の形状より的確に、識別された頂点によって画定される。
【００１３】
ほとんどの場合、フォトニクス光波プラットフォーム（たとえば、シリコン、シリカ、ＩｎＰ、またはポリマー）と共に使用される光の波長は、真空における光の波長より短い。たとえば、１．５５μｍの真空波長は、シリコン導波路では０．４４μｍの波長に対応する。したがって、現在のマスク・ビーム対処法に基づくと、レイアウトにおける頂点の間隔は、０．０２μｍと同程度に小さくすることができる。その結果、本発明によるはめ込み矩形によって生成される光学構成要素は、高品質の光学表面を呈示することができる（すなわち、λ／２０またはより良好な光学的滑らかさが達成されることが可能である）。
【００１４】
図４は、本発明によるはめ込み矩形技術を使用する例示的な楕円光学構成要素（レンズなど）のレイアウトを示す。図４（ａ）は、光学構成要素を画定するために多角形を使用する従来の技術のレイアウト・ツールの限定を示し、図４（ｂ）は、比較として、本発明のはめ込み矩形技術を使用することによる楕円輪郭の整合の改善を示す。円形の場合と同様に、複数の矩形１２−１から１２−Ｍが、楕円の輪郭を「はめ込む」ために使用され、各矩形１２−ｉの頂点ＡおよびＢは、図４（ｂ）に示されるように、ＩＣレイアウト格子上の点と一致するように選択される。本発明のはめ込み矩形技術によって生成される様々なレイアウトのそれぞれと同様に、使用されることが可能である個々の矩形の数（格子間隔によって制御される）は、達成されることが可能である「はめ込み」に直接関係する。
【００１５】
図５は、本発明による、例示的な曲線３２にはめ込まれる複数の内接はめ込み矩形３０−１から３０−Ｐの使用を示す。図５の図面は、縮尺調整されて描かれておらず、明瞭化のために拡大されていることに留意されたい。図示されるように、１セットの頂点３４−１から３４−Ｐが、曲線３２と一致する格子点として画定される。図６は、同様の方式で（やはり拡大縮尺で）、例示的な曲線４２に「はめ込まれる」複数の外接はめ込み矩形４０−１から４０−Ｑの使用を示す。再び、頂点４４−１から４４−Ｑが、曲線４２と一致する格子点として画定される。内接矩形または外接矩形は、本発明の教示によれば、望ましいはめ込みを提供するために使用されることが可能であることを理解されたい。
【００１６】
複数のはめ込み矩形５２−１から５２−Ｒを使用する凹面鏡５０のレイアウトが、図７（ｂ）に示され、図７（ａ）は、比較のために、従来の技術の対角形技術を示す。図７（ｂ）に示されるように、各矩形５２の高さは、レイアウトに使用されるマスクの最小分解可能特徴サイズによって画定および限定される。次いで、各矩形の長さｌは、関連する頂点５４が鏡５０の曲線５６に最適にはめ込まれるように制御される。線形テーパ６０の生成が、図８に示される。図８（ａ）は、多角形を使用する従来の技術を示し、図８（ｂ）に示されるように、本発明による複数のはめ込み矩形を使用することによって、改善が得られる。図８（ｂ）を参照すると、各矩形６２−１から６２−Ｓの長さは、特定の線形テーパ６０について望ましいテーパＴを生成するように制御される。
【００１７】
本発明の上述された例は、ＩＣレイアウト・ツールと共に使用される任意の望ましい光学構成要素の輪郭を画定するように複数の矩形をはめ込むことについて、本発明の特徴を示すためにのみ呈示されていることを理解されたい。たとえば、様々な他の光学構成要素のレイアウト、または光学サブシステムを形成する光学構成要素の組合わせは、本発明のはめ込み矩形技術を使用して生成されることが可能である。具体的には、図９は、本発明により形成されるマッハ・ツェンダー変調器７０からなる光学装置のレイアウトを示す。このレイアウトは、光を導波路内に回転および集束させる平面鏡７２、７４からなる。スプリッタ７６およびコンバイナ７８は、マッハ・ツェンダー変調器７０の活動領域８４を形成する別々の平行導波路アーム８０、８２の内外に光を向けるように機能する。マッハ・ツェンダー変調器７０の活動領域８４は、誘導された光の光学特性を制御するために能動電子装置をも含むので、マスク・レベルは、光学構成要素および電気構成要素の両方を画定する（図１に示されるシステムを使用することによってなど）。したがって、まとめると、本発明の範囲は、添付の請求項によってのみ限定されることを意図する。
【図面の簡単な説明】
【００１８】
【図１】はめ込み矩形光学構成要素レイアウト・ツールと従来のマスク生成ツールおよび電子構成要素レイアウト・ツールとの相互作用を示す高レベル・システム図である。
【図２】マンハッタン・ジオメトリを呈示する第１セットの構成要素および非マンハッタン・ジオメトリを呈示する第２セットの構成要素のレイアウトを示す、例示的なＩＣレイアウト格子を示す図である。
【図３ａ】現在利用可能なレイアウト・ツールを使用する、円の従来の技術のレイアウトを示す図である。
【図３ｂ】本発明のはめ込み矩形技術を使用する、同じ円のレイアウトを示す図である。
【図４ａ】現在利用可能なレイアウト・ツールを使用する、楕円の従来の技術のレイアウトを示す図である。
【図４ｂ】本発明のはめ込まれた矩形技術を使用する、同じ楕円のレイアウトを示す図である。
【図５】本発明による、曲線を画定するための複数の内接はめ込み矩形の使用を示す図である。
【図６】本発明による、曲線を画定するための複数の外接はめ込み矩形の使用を示す図である。
【図７ａ】現在利用可能なレイアウト・ツールを使用する、凹面鏡の従来の技術のレイアウトを示す図である。
【図７ｂ】本発明のはめ込み矩形技術を使用する、同じ凹面鏡のレイアウトを示す図である。
【図８ａ】現在利用可能なレイアウト・ツールを使用する、テーパの従来の技術のレイアウトを示す図である。
【図８ｂ】本発明のはめ込み矩形技術を使用する、同じテーパのレイアウトを示す図である。
【図９】例示的なマッハ・ツェンダー変調器のレイアウトを示す図である。
【図１】
0004620045.tif 000002
【図２】
0004620045.tif 000003
【図３ａ】
0004620045.tif 000004
【図３ｂ】
0004620045.tif 000005
【図４ａ】
0004620045.tif 000006
【図４ｂ】
0004620045.tif 000007
【図５】
0004620045.tif 000008
【図６】
0004620045.tif 000009
【図７ａ】
0004620045.tif 000010
【図７ｂ】
0004620045.tif 000011
【図８ａ】
0004620045.tif 000012
【図８ｂ】
0004620045.tif 000013
【図９】
0004620045.tif 000014